(57)【要約】【課題】水垢などで汚れた貯水タンクのタンク部を簡単に取り外して清掃することができるオーガ式製氷機を提供する。【解決手段】オーガ式製氷機は、本体内に設けられ、外壁に冷却器が設けられた冷却円筒と、この冷却円筒内下部に連通接続された給水管１２と、この給水管１２を介して冷却円筒内に製氷用水を供給するための貯水タンク９と、冷却円筒内に同心的且つ回転可能に挿入されたオーガと、このオーガを回転駆動するオーガモータとを備える。貯水タンク９は、上面に開口して製氷用水を貯溜するタンク部材２５と、このタンク部材２５の上面開口を閉塞する蓋部材２６とを備える。蓋部材２６を本体に取り付け、タンク部材２５を当該蓋部材２６に着脱自在に保持させた。【選択図】　　　図３
2004101108.tif 000002
【特許請求の範囲】
【請求項１】
本体内に設けられ、外壁に冷却器が設けられた冷却円筒と、該冷却円筒内下部に連通接続された給水管と、該給水管を介して前記冷却円筒内に製氷用水を供給するための貯水タンクと、前記冷却円筒内に同心的且つ回転可能に挿入されたオーガと、該オーガを回転駆動するオーガモータとを備え、前記冷却円筒の内壁に生成した氷を前記オーガにより削取し、上方に移送して圧縮することにより、連続的に氷片を生成するオーガ式製氷機において、
前記貯水タンクは、上面に開口して製氷用水を貯溜するタンク部材と、該タンク部材の上面開口を閉塞する蓋部材とを備え、
該蓋部材を前記本体に取り付け、前記タンク部材を当該蓋部材に着脱自在に保持させたことを特徴とするオーガ式製氷機。
【請求項２】
前記タンク部材を前記蓋部材にスライド自在に保持させたことを特徴とする請求項１のオーガ式製氷機。
【発明の詳細な説明】
【０００１】
【発明の属する技術分野】
本発明は、氷片（チップアイス）を連続的に製造するオーガ式製氷機に関するものである。
【０００２】
【従来の技術】
従来よりこの種オーガ式製氷機は、例えば冷却器を構成する冷媒パイプを外面に設けた冷却円筒内にオーガを回転可能に挿入し、冷却円筒内には貯水タンクに貯溜された製氷用の水が給水管を介して供給されると共に、モータによってオーガを回転駆動して前記冷却円筒の内壁に生成した氷を削取しつつ上方に移送し、圧縮することによって連続的に氷片を生成するよう構成されている（特許文献１参照）。
【０００３】
【特許文献１】
特公平３−４８２７号公報（Ｆ２５Ｃ１／１４）（第３頁、第１図参照。）。
【０００４】
一方、製氷用の水としては通常水道水が利用されており、水道配管より給水弁を介してオーガ式製氷機の貯水タンクに給水される。係るオーガ式製氷機の従来の貯水タンクを図４に示す。従来の貯水タンク１０９は、容器状の上面に開口するタンク部材１２５と、このタンク部材１２５の上面開口を閉塞する蓋部材１２６から構成されている。そして、タンク部材１２５の周囲に設けられたフランジ部１２５Ａを、オーガ式製氷機本体のアングル１２７に蓋部材１２６と共にネジ１２６Ａにて固定されていた。
【０００５】
この蓋部材１２６には、貯水タンク１０９のタンク部材１２５内に水道水を導入するための給水弁ＷＶ１２が取り付けられており、この給水弁ＷＶ１２に接続された水道管（図示せず）から水道水がタンク部材１２５内に供給され、貯留される。貯水タンク１０９内に貯溜される水は、蓋部材１２６にナット１２４Ａで固定されたフロートスイッチ１２４によって一定量に維持される。このフロートスイッチ１２４は、満水位スイッチ１２２及び低水位スイッチ１２３とフロートフロート１２４Ｂを備えている。
【０００６】
そして、貯水タンク１０９内に貯留された水は給水管１１２からオーガ式製氷機の製氷部（図示せず）に導入され、一定量を超えた貯水タンク１０９内の水はオーバーフロー管１１０から排出される。尚、１１２Ａ、１１０Ａは給水管１１２及びオーバーフロー管１１０を周囲から締め付けてタンク部１２５に固定するためのホースバンドであり、貯水タンク１０９から給水管１１２及びオーバーフロー管１１０が脱落しないようにしている。
【０００７】
【発明が解決しようとする課題】
ここで、前述した水道水にはカルキなどが含有されている。これらの含有物は水垢となって貯水タンク１０９のタンク部１２５の内壁に付着するが、係る水垢が付着すると、そこに細菌などが発生するため氷が不衛生となってしまう。そのため、定期的にタンク部材１２５を取り外して内部の水垢の洗浄を行う必要がある。
【０００８】
しかしながら、従来の貯水タンク１０９のタンク部１２５を清掃するためには、タンク部材１２５から給水管１１２とオーバーフロー管１１０を外し、且つ、蓋部材１２６からはレンチによってフロートスイッチ１２４や給水弁ＷＶ１２を外してから、ドライバーなどの工具を用いて貯水タンク１０９のタンク部１２５と蓋部材１２６を固定しているネジ１２６Ａを外し、本体内よりそれらを取り出さなければならない。また、清掃を行った後はタンク部１２５と蓋部材１２６を本体にネジ止めし、給水管１１２やオーバーフロー管１１０をホースバンド１１２Ａ、１１０Ａで固定すると共に、レンチでフロートスイッチ１２４や給水弁ＷＶ１２を蓋部材１２６に取り付ける必要があり、極めて面倒な作業が強いられていた。
【０００９】
本発明は、係る従来の技術的課題を解決するために成されたものであり、水垢などで汚れた貯水タンクのタンク部を簡単に取り外して清掃することができるオーガ式製氷機を提供することを目的とする。
【００１０】
【課題を解決するための手段】
即ち、本発明のオーガ式製氷機は、本体内に設けられ、外壁に冷却器が設けられた冷却円筒と、この冷却円筒内下部に連通接続された給水管と、この給水管を介して冷却円筒内に製氷用水を供給するための貯水タンクと、冷却円筒内に同心的且つ回転可能に挿入されたオーガと、このオーガを回転駆動するオーガモータとを備え、冷却円筒の内壁に生成した氷をオーガにより削取し、上方に移送して圧縮することにより、連続的に氷片を生成するものであって、貯水タンクは、上面に開口して製氷用水を貯溜するタンク部材と、このタンク部材の上面開口を閉塞する蓋部材とを備え、蓋部材を本体に取り付け、タンク部材を当該蓋部材に着脱自在に保持させたものである。
【００１１】
係る構成により、例えば水道水中のカルキなどの水垢で汚れたタンク部材だけを本体から容易に取り出し、また、取り付けることができるようになり、貯水タンクのタンク部材の清掃を極めて容易に行うことができるようになるものである。
【００１２】
請求項２の発明のオーガ式製氷機は、上記に加えてタンク部材を蓋部材にスライド自在に保持させたので、タンク部材をスライドして抜き差しする簡単な操作でタンク部材の着脱作業を行うことができるようになる。
【００１３】
これにより、タンク部材の着脱作業の操作性を一層向上させ、短時間でタンク部材の着脱を行うことが可能となり、貯水タンクの衛生管理が極めて容易となるものである。
【００１４】
【発明の実施の形態】
以下、本発明の実施形態を図面に基づき詳述する。図１は本発明のオーガ式製氷機ＩＭの斜視図、図２は本発明のオーガ式製氷機ＩＭのシステム構成図をそれぞれ示している。オーガ式製氷機ＩＭは、本体６０下部に断熱箱体にて構成され左右スライド式のスライド扉６２が設けられた貯氷庫６１を備えている。この貯氷庫６１は内部に製氷された氷を蓄えるもので、オーガ式製氷機ＩＭとしては、実施例のように単独の製氷機として用いられる他、自動販売機等の内部にも搭載される場合もある。
【００１５】
該オーガ式製氷機ＩＭは、製氷用水から氷を生成するための冷却器２を備えた製氷部１と、この製氷部１の冷却器２と共に冷凍サイクルを構成する空冷式凝縮器３、水冷式凝縮器１４、コンプレッサ４、及び、ドライコア６、膨張弁５とを冷媒配管にて接続して冷却装置を構成している。尚、７は前記空冷式凝縮器３を空冷するためのコンデンシングファンであり、係る冷却装置は貯氷庫６１上側の本体６０内上部に設けられている。６０Ａはこの本体６０上部前面を覆うカバーである。
【００１６】
また、前記製氷部１には製氷用水（水道水）を供給するための水道管８が給水弁ＷＶ１２及び本発明の貯水タンク９を介して接続されている。水道管８は分岐して二重管から成る水冷式凝縮器１４の内管に接続され、水冷式凝縮器１４の内管は通水弁ＷＶ３を介して排水ホース１３Ａに接続されている。そして、コンプレッサ４で圧縮されて空冷式凝縮器３に流入し、放熱して空冷式凝縮器３を出た冷媒は水冷式凝縮器１４の外管に入り、内管を流れる水道水にて冷却され、一旦コンプレッサ４に戻ってコンプレッサ４を冷却した後、再度空冷式凝縮器３に入り、放熱凝縮した後、ドライコア６、膨張弁５を経て冷却器２に流入し、そこで蒸発して冷却作用を発揮した後、コンプレッサ４に戻る冷凍サイクルを構成する。
【００１７】
一方、前記貯水タンク９は本体６０内上部に設けられている。貯水タンク９は、水道管８から供給される水道水を貯溜するもので、タンク部材２５と蓋部材２６とから構成されている。タンク部材２５は水道水の貯留を行うために上面に開口した箱形を呈している（図３）。蓋部材２６は、タンク部材２５の上面開口を閉塞するもので、給水弁ＷＶ２はこの蓋部材２６に取り付けられている。
【００１８】
また、蓋部材２６には取付辺２６Ａ、２６Ａが立設されており、この取付辺２６Ａ、２６Ａが本体６０に設けられたアングル２７、２７にネジ６３にて締付固定されることで、蓋部材２６は本体６０に取り付けられている。蓋部材２６の左右及び後の三辺の縁部には係合溝２８が連続して形成されており、この係合溝２８は断面略コ字状（この場合、蓋部材２６の中心側に開口したコ字状）に形成されると共に、前辺の縁部は上側に屈曲され、そこをストッパ部２６Ｂとされている。
【００１９】
他方、タンク部材２５の開口縁の左右及び後辺には係合フランジ２５Ａが連続して形成されている。この係合フランジ２５Ａは、蓋部材２６の三辺に形成した係合溝２８にスライド自在に係合するように形成されている。また、タンク部材２５の開口縁の前辺には上方に延在するストッパ辺２５Ｂが形成されており、このストッパ辺２５Ｂは蓋部材２６のストッパ部２６Ｂ前面に当接するように構成されている。
【００２０】
そして、タンク部材２５を蓋部材２６に取り付ける際には、その係合フランジ２５Ａを後辺側から蓋部材２６の係合溝２８内に係合し、係合フランジ２５Ａの左右辺をスライドさせて挿入していく。やがてタンク部材２５のストッパ辺２５Ｂが蓋部材２６のストッパ部２６Ｂ前面に当接した時点で、係合フランジ２５Ａの後辺は係合溝２８の後辺内に係合し、それによってタンク部材２５の上面開口は蓋部材２６で密閉される。これによって、外部から貯水タンク９内に塵などが侵入してしまうのが防止されている。
【００２１】
即ち、貯水タンク９はその蓋部材２６が本体６０に取り付けられ、タンク部材２５は蓋部材２６に保持されており、更に、タンク部材２５の係合フランジ２５Ａを、蓋部材２６の係合溝２８にスライドして抜き差しするだけの簡単な作業で、タンク部材２５が本体６０から着脱できるように構成されている。尚、６４はストッパ辺２５Ｂとストッパ部２６Ｂを締結してタンク部材２５が蓋部材２６からずれないようにするための化粧ネジであり、手指にて容易に回すことができる。また、６５は消波板でタンク部材２５の底側から後述する満水位スイッチＨＳＷより僅か上方まで延在して設けられると共に、図示しないが複数の穴が設けられている。前記給水弁ＷＶ２はこの消波板６５の前側に位置する。
【００２２】
係る貯水タンク９には貯留された水の満水位を検出するための満水位スイッチＨＳＷと、貯留された水の低水位を検出するための低水位スイッチＬＳＷとフロート２４Ｂを備えたフロートスイッチ２４が設けられている。このフロートスイッチ２４は、ネジ２４Ａにて取付板２３に固定され、取付板２３は手指にて回動可能な締付部材６６にて蓋部材２６に突設された取付部２６Ｃに締付固定されている。
【００２３】
この取付部２６Ｃはフロートスイッチ２４を貯水タンク９内に出し入れ可能な大きさに形成されており、フロートスイッチ２４は蓋部材２６に取り付けられた状態で、消波板６５後側のタンク部材２５内に底部まで降下する。そして、タンク部材２５の清掃時は、先ずフロートスイッチ２４が取り外された後、蓋部材２６からタンク部材２５が引き出されて清掃されると共に、タンク部材２５を蓋部材２６に取り付ける際は蓋部材２６にタンク部材２５をスライドして装着した後、蓋部材２６に締付部材６６にてフロートスイッチ２４を取り付ける。この締付部材６６は手指にて回動できるので、フロートスイッチ２４の着脱に格別な工具は不要である。
【００２４】
また、このフロートスイッチ２４の後側のタンク部材２５後部には給水管１２が接続されており、この給水管１２は締付部材１２Ａによって外側から締め付けられることによってタンク部材２５に着脱自在に取り付けられている。更に、タンク部材２５にはオーバーフロー管１０が接続されており、このオーバーフロー管１０も給水管１２同様締付部材（図示せず）によってタンク部材２５後部に着脱自在に取り付けられている。オーバーフロー管１０は、貯水タンク９内に満水位スイッチＨＳＷ以上水が貯留された場合、その水を排出するようにタンク部材２５内上部に開口する円柱状のオーバーフロー出口１０Ａに連通している。
【００２５】
そして、貯水タンク９のタンク部材２５内に貯溜された水は、給水管１２にて前記製氷部１に導入され、オーバーフローした水はオーバーフロー管１０から溢れ出て排水ホース１３Ａを介して廃棄される。また、６７は貯氷庫６１の清掃やメンテナンス時などに開いて使用するための前開き式の扉、６８は貯氷庫６１内に溜まった水を排水するための貯水庫排水ホースである。
【００２６】
前記製氷部１は、内壁を平滑な円筒状内面とされたステンレス製の冷却円筒１５内にオーガ（回転刃）１６を同心的且つ回転可能に挿入し、前記冷却円筒１５の外壁にはパイプ状の前記冷却器２を螺旋状に密着巻付して構成されている。尚、これら冷却円筒１５と冷却器２との隙間には両者の結合と熱伝達性能の向上を目的としてハンダが注入される。
【００２７】
また、前記オーガ１６は、下部を下部軸受け１７にて、上部を氷圧縮経路を構成する上部軸受け１８にて軸支されている。また、この上部軸受け１８にて圧縮された氷は、その上部に設けられている氷導出部１９（シューター）から貯氷庫６１に導出される。
【００２８】
前記給水管１２は冷却円筒１５の下部においてその内部に連通すると共に、冷却円筒１５の下部には更に配水管１３が接続されている。また、これらの下方における冷却円筒１５の下部には、更にオーガ１６を回転駆動するためオーガモータ４５を備える駆動装置２０が減速装置２１を介して接続されている。
【００２９】
本体６０内上部の前面には電装箱３０が設けられており、この電装箱３０内には汎用のマイクロコンピュータから構成された制御装置（図示せず）が収納されている。制御装置には、前記フロートスイッチ２４が接続されると共に、オーガモータ４５、コンデンシングファン７、排水弁ＷＶ１、給水弁ＷＶ２、通水弁ＷＶ３などが接続される。尚、３８は電装箱３０前面に設けられた運転操作スイッチで、この運転操作スイッチ３８はオーガ式製氷機ＩＭの動作を開始するものである。また、３９は排水スイッチで、この排水スイッチ３９は給水弁ＷＶ２を閉じて、排水弁ＷＶ１を開き、排水管１３から冷却円筒１５内（貯水タンク９内も含む）の水を排水ホース１３Ａに排出するものである。
【００３０】
次に、オーガ式製氷機ＩＭの動作を説明する。オーガ式製氷機ＩＭの運転最初の初回には冷却円筒１５内の洗浄が行われる。即ち、初回の該洗浄工程では、フロートスイッチ２４の低水位スイッチＬＳＨがＯＮとなっており、制御装置は給水弁ＷＶ２及び排水弁ＷＶ１を開いて、貯水タンク９内から水を冷却円筒１５内に給水すると共に排水を行う。
【００３１】
尚、初回洗浄工程と製氷工程においては、制御装置は初期設定状態で排水弁ＷＶ１を１時間毎（定時排水間隔）に３０秒間（定時排水時間）開く排水動作を実行する。それによって、冷却円筒１５内の製氷水を廃棄し、冷却円筒１５内の洗浄を行う。従って、この初回洗浄工程においても排水弁ＷＶ１を３０秒開く。
【００３２】
また、給水弁ＷＶ２は排水弁ＷＶ１が閉じた後も開としており、この初回洗浄工程でフロートスイッチ２４の満水位スイッチＨＳＷがＯＮされるまで給水管１２から貯水タンク９内に給水される。尚、この給水管１２からの給水量は、排水管１３による排水量より水量が多くなるよう設定されており、そのため、排水弁ＷＶ１が開であっても、給水弁ＷＶ２を開いていると、所定時間経過後、低水位スイッチＬＳＨはＯＦＦとなる。
【００３３】
係る初回洗浄工程開始と同時に、オーガモータ４５へ通電され、オーガ１６が回転駆動される。
【００３４】
また、貯水タンク９内の貯溜水位が上昇して満水位スイッチＨＳＷがＯＮすると、続いて製氷工程に入り、給水弁ＷＶ２をＯＦＦし、図示しないがコンプレッサ４のモータ及びコンデンシングファン７のモータをＯＮして製氷を行う。
【００３５】
この製氷工程においては、オーガ１６により冷却円筒１５の内壁に生成した氷を削取しつつ上方に移送し、上部軸受け１８の氷圧縮経路にて圧縮することによって、連続的に氷片を生成する。生成された氷片はその上部に設けられている氷導出部１９（シューター）から貯氷庫６１内に導出されて、蓄えられる。
【００３６】
係る製氷工程で、貯水タンク９内の製氷用水が無くなると、フロートスイッチ２４の低水位スイッチＬＳＨがＯＮし、制御装置により給水弁ＷＶ２が開放されて給水が開始され、満水位スイッチＨＳＷがＯＮすると給水弁ＷＶ２が閉じられる。
【００３７】
ところで、前述の如く製氷運転が行われるオーガ式製氷機ＩＭが経年使用されると、貯水タンク９内、特に、水道水が蓄えられるタンク部材２５内壁には水垢が付着し、蓄積されていく。そこで、不衛生となることを防止するためにタンク部材２５内の清掃を行う必要が生じる。タンク部材２５内の清掃を行う場合、先ず、運転操作スイッチ３８を操作してオーガ式製氷機ＩＭの運転動作を停止する。そして、排水スイッチ３９を操作し、制御装置により給水弁ＷＶ２を閉じ、排水弁ＷＶ１を開く。これによって、排水管１３から冷却円筒１５内と貯水タンク９内の水が排水ホース１３Ａに排出され、貯水タンク９内は空になる。
【００３８】
次に、貯水タンク９前側を覆っている前記カバー６０Ａを開いた後、給水管１２を締付固定している締付部材１２Ａ及びオーバーフロー管１０を締付固定している締付部材を手で緩めてそれらをタンク部材２５から外す。次に、締付部材６６を手で緩められて外し、蓋部材２６からフロートスイッチ２４を引き抜く。次に、タンク部材２５のストッパ辺２５Ｂと蓋部材２６のストッパ部２６Ｂとを固定している化粧ネジ６４を手で緩めて外し、蓋部材２６からタンク部材２５をスライドさせて引き抜いて本体６０内からタンク部材２５を前方に引き出す。このように本発明ではタンク部材２５をスライドして蓋部材２６から引き抜くだけの簡単な操作で、蓋部材２６の係合溝２８からタンク部材２５の係合フランジ２５Ａが引き抜かれ、蓋部材２６からタンク部材２５が取り外される。
【００３９】
タンク部材２５は上述のように外した後、内部に付着した水道水のカルキなどで汚れた水垢を綺麗に清掃する。このとき同時にフロートスイッチ２４や給水管１２内等も清掃してもよい。清掃を終了したら、タンク部材２５を前述のようにスライドさせて蓋部材２６に装着する。この場合も蓋部材２６の係合溝２８にタンク部材２５の係合フランジ２５Ａを係合させてスライドするだけの簡単な操作で、蓋部材２６にタンク部材２５が装着される。
【００４０】
次に、タンク部材２５のストッパ辺２５Ｂと蓋部材２６のストッパ部２６Ｂとに化粧ネジ６４で固定すると共に、給水管１２及びオーバーフロー管１０を締付部材１２Ａによって取り付ける。また、蓋部材２６にはフロートスイッチ２４を挿入して締付部材６６にて締付固定するものである。
【００４１】
このように、本発明では貯水タンク９は上面に開口して製氷用水を貯溜するタンク部材２５と、このタンク部材２５の上面開口を閉塞する蓋部材２６とを備え、蓋部材２６を本体６０に取り付け、タンク部材２５の係合フランジ２５Ａをスライドさせて蓋部材２６の係合溝２８に着脱自在に保持させるようにしているので、タンク部材２５だけを本体６０から容易に取り外し、取り付けすることが可能となる。
【００４２】
これにより、従来の如く貯水タンクを取り外す際の面倒な作業も行わなくて済み、貯水タンク９の衛生管理を容易に行うことが可能となる。特に、タンク部材２５を蓋部材２６にスライド自在に保持させているので、蓋部材２６に対してタンク部材２５を着脱する作業も極めて簡単に行うことができるようになる。
【００４３】
これにより、タンク部材２５の着脱を行う作業性を大幅に向上させ、タンク部材２５の着脱作業を極めて短時間で行うことができるようになる。即ち、タンク部材２５内部の清掃作業を容易に行うことが可能となり、タンク部材２５の衛生管理作業性を効果的に改善できるようになる。
【００４４】
【発明の効果】
以上詳述した如く本発明によれば、本体内に設けられ、外壁に冷却器が設けられた冷却円筒と、この冷却円筒内下部に連通接続された給水管と、この給水管を介して冷却円筒内に製氷用水を供給するための貯水タンクと、冷却円筒内に同心的且つ回転可能に挿入されたオーガと、このオーガを回転駆動するオーガモータとを備え、冷却円筒の内壁に生成した氷をオーガにより削取し、上方に移送して圧縮することにより、連続的に氷片を生成するオーガ式製氷機において、貯水タンクは、上面に開口して製氷用水を貯溜するタンク部材と、このタンク部材の上面開口を閉塞する蓋部材とを備え、蓋部材を本体に取り付け、タンク部材を当該蓋部材に着脱自在に保持させたので、例えば水道水中のカルキなどの水垢で汚れたタンク部材だけを本体から容易に取り出し、また、取り付けることができるようになり、貯水タンクのタンク部材の清掃を極めて容易に行うことができるようになるものである。
【００４５】
また、請求項２の発明によれば、上記に加えてタンク部材を蓋部材にスライド自在に保持させたので、タンク部材をスライドして抜き差しする簡単な操作でタンク部材の着脱作業を行うことができるようになる。これにより、タンク部材の着脱作業の操作性を一層向上させ、短時間でタンク部材の着脱を行うことが可能となり、貯水タンクの衛生管理が極めて容易となるものである。
【図面の簡単な説明】
【図１】本発明のオーガ式製氷機の一部切欠斜視図である。
【図２】本発明のオーガ式製氷機のシステム構成図である。
【図３】本発明のオーガ式製氷機の貯水タンクの縦断側面図である。
【図４】従来のオーガ式製氷機の貯水タンクの縦断側面図である。
【符号の説明】
ＩＭ　オーガ式製氷機
１　製氷部
２　冷却器
３　空冷式凝縮器
４　コンプレッサ
９　貯水タンク
１０　オーバーフロー管
１２　給水管
１２Ａ　締付部材
１３Ａ　排水ホース
１４　水冷式凝縮器
１５　冷却円筒
１６　オーガ（回転刃）
２３　取付板
２４　フロートスイッチ
２５　タンク部材
２５Ａ　係合フランジ
２５Ｂ　ストッパ辺
２６　蓋部材
２６Ａ　取付辺
２６Ｂ　ストッパ部
２６Ｃ　取付部
２７　アングル
２８　係合溝
６０　本体
６１　貯氷庫
６５　消波板
６６　締付部材
【図１】
2004101108.tif 000003
【図２】
2004101108.tif 000004
【図３】
2004101108.tif 000005
【図４】
2004101108.tif 000006